(57)【要約】      （修正有）【課題】切替機構、インクリボンテンション付加機構、カール矯正機構の各機構を、一つの動力で駆動する。【解決手段】インクリボンを用いて記録用紙にカラー印刷するプリンタにおいて、印画済みの記録用紙のカール量を矯正するカール矯正機構と、インクリボンにテンションを付加するテンション付加機構と、記録用紙の経路を切り替える切替機構とを備えるとともに、カール矯正機構によるカール矯正量を調整するカール矯正量調整部と、テンション付加機構が付加するテンション量を調整するインクリボンテンション調整部と、切替機構による記録用紙の排紙方向を切り替える切替案内部とを備える。カール矯正量調整部と、インクリボンテンション調整部と、切替案内部の各駆動機構を同一駆動軸上に設けることによって、一つの動力によって複数の調整部および切替案内を駆動することを可能とする。【選択図】図１
2008137224.tif 000002
【特許請求の範囲】
【請求項１】
インクリボンを用いて記録用紙にカラー印刷するプリンタにおいて、
印画済みの記録用紙のカール量を矯正するカール矯正において、当該カール矯正量を調整するカール矯正量調整部と、
インクリボンに付加するテンション量を調整するインクリボンテンション調整部と、
前記記録用紙の経路を切り替える切替案内部とを備え、
前記カール矯正量調整部と、前記インクリボンテンション調整部と、前記切替案内部の各駆動機構を同一駆動軸上に設けたことを特徴とする、プリンタ。
【請求項２】
前記カール矯正量調整部を記録用紙の排紙時に駆動し、
前記インクリボンテンション調整部を印刷時に駆動し、
前記切替案内部を印刷動作と排紙動作との動作切替時に駆動することを特徴とする、請求項１に記載のプリンタ。
【請求項３】
カール矯正ローラとカール矯正調整プレートとの間の通過間隔を調整することにより印画済みの記録用紙のカール量を矯正するカール矯正において、
前記カール矯正量調整部は、前記駆動軸上に設けた第１のカムによって前記カール矯正調整プレートを駆動することを特徴とする、請求項１又は２に記載のプリンタ。
【請求項４】
インクリボンを巻回するインクリボン軸にベルトを掛け、このベルトによりインクリボンに張力を与えるインクリボンテンション付加において、
前記インクリボンテンション調整部は、前記駆動軸上に設けた第２のカムによって前記カール矯正調整プレートを駆動することを特徴とする、請求項１又は２に記載のプリンタ。
【請求項５】
記録用紙を案内する案内板の位置を切り替えることにより記録用紙の経路を切り替える記録用紙の切替案内において、
前記切替案内部は、前記駆動軸上に設けた第３のカム、および当該第３のカムと前記案内板との間を連結するクラッチによって前記案内板を駆動することを特徴とする、請求項１又は２に記載のプリンタ。
【請求項６】
インクリボンを巻回するインクリボン軸にベルトを掛け、このベルトによりインクリボンに張力を与えるインクリボンテンション付加において、前記インクリボンテンション調整部は、前記駆動軸上に設けた第２のカムによって前記カール矯正調整プレートを駆動し、
記録用紙を案内する案内板の位置を切り替えることにより記録用紙の経路を切り替える記録用紙の切替案内において、前記切替案内部は、前記駆動軸上に設けた第３のカム、および当該第３のカムと前記案内板との間を連結するクラッチによって前記案内板を駆動し、前記第２のカムと第３のカムとを共通カムにより構成することを特徴とする、請求項１又は２に記載のプリンタ。
【請求項７】
カール矯正ローラとカール矯正調整プレートとの間の通過間隔を調整することにより印画済みの記録用紙のカール量を矯正するカール矯正において、前記カール矯正量調整部は、前記駆動軸上に設けた第１のカムによって前記カール矯正調整プレートを駆動し、
記録用紙を案内する案内板の位置を切り替えることにより記録用紙の経路を切り替える記録用紙の切替案内において、前記切替案内部は、前記駆動軸上に設けた第３のカム、および当該第３のカムと前記案内板との間を連結するクラッチによって前記案内板を駆動し、
前記案内板は、前記カール矯正調整プレート上に回転軸を有することを特徴とする、請求項１又は２に記載のプリンタ。
【発明の詳細な説明】
【技術分野】
【０００１】
本発明は、ヘッドに対してロール状の記録用紙を往復動させることによって、記録用紙に印刷を複数回繰り返すことで、同一紙面上に例えば異なる色の印刷を行うプリンタに関する。
【背景技術】
【０００２】
カラー印刷等の多色印刷を行うプリンタでは、三原色（イエロー、マゼンタ、シアン）あるいはブラックを含めた４色で印刷が行われる。このような多色印刷のプリンタとして、ロール状の記録用紙を往復動させながら印刷を複数回繰り返すことによって、同一紙面上に異なる色の印刷を行うプリンタが知られている（例えば、特許文献１参照）。
【０００３】
特許文献１に示されるプリンタでは、供給ローラから送り出された記録紙上にヘッドで印刷を行うには、一つの色ヘッドで印刷した記録用紙を記録紙収納部内に収納し、次の色を印刷するときには、この記録紙収納部内に収納された記録紙を巻き戻した後、再度次の色ヘッドを通過させて印刷を行い、印刷した記録用紙を記録紙収納部内に収納する。このように、各色で印刷を行う度に、記録紙収納部に対して記録用紙を出し入れする。
【０００４】
このプリンタは、記録紙を記録紙収納部あるいは記録紙切断部に切り替えて導くための切替機構を備え、この切替機構の切り替えによって、印刷時には記録紙を記録紙収納部に導き、印刷が終了した後は記録紙切断部に導いている。
【０００５】
また、インクリボンに付加するテンションを一定に保持するインクリボンテンション付加機構（特許文献２）や、記録用紙のカールを矯正するカール矯正機構（特許文献３）も提案され、上記特許文献３はカール矯正機構に加えて経路を切り替える切替機構も備える構成が提案されている。
【０００６】
また、カール矯正機構において、記録用紙のカール量に応じてローラの位置を調整することでカール矯正量を調整する機構も提案されている（特許文献４）。
【０００７】
【特許文献１】特開平８−６７０４１号公報
【特許文献２】特開昭６３−３１９１７４号公報
【特許文献３】特開昭６３−２３５２５０号公報
【特許文献４】特開２００５−６００１６号公報
【発明の開示】
【発明が解決しようとする課題】
【０００８】
上記した切替機構、インクリボンテンション付加機構、カール矯正機構の各機構は、それぞれ個別の駆動モータによって駆動する構成としている。そのため、プリンタに、これらの各機構を持たせるには、これらを駆動するための駆動モータをそれぞれ設ける必要がある。その結果、プリンタは複数個の駆動モータが必要となる。このように、プリンタ内に複数の駆動モータを設置する構成では、プリンタを構成する部品点数の増加や、プリンタの大型化等といった問題がある。
【０００９】
特に、複数台プリンタを積層することにより、多種類の記録用紙への印画に対応する場合には、限られた高さ内に積層できるプリンタの台数が制限されることになる。
【００１０】
そこで、本発明は上記の課題を解決して、切替機構、インクリボンテンション付加機構、カール矯正機構の各機構を、一つの動力で駆動することを目的とする。
【課題を解決するための手段】
【００１１】
本発明は、インクリボンを用いて記録用紙にカラー印刷するプリンタにおいて、印画済みの記録用紙のカール量を矯正するカール矯正機構と、インクリボンにテンションを付加するテンション付加機構と、記録用紙の経路を切り替える切替機構とを備えるとともに、カール矯正機構によるカール矯正量を調整するカール矯正量調整部と、テンション付加機構が付加するテンション量を調整するインクリボンテンション調整部と、切替機構による記録用紙の排紙方向を切り替える切替案内部とを備える。
【００１２】
そして、カール矯正量調整部と、インクリボンテンション調整部と、切替案内部の各駆動機構を同一駆動軸上に設けることによって、一つの動力によって複数の調整部および切替案内を駆動することを可能とする。
【００１３】
一つの動力による各部の駆動は、記録用紙の排紙時にカール矯正量調整部を駆動し、印刷時にインクリボンテンション調整部を駆動し、印刷動作と排紙動作との動作切替時に切替案内部を駆動するというように、各部が駆動する時期が互いに重なることがないことを利用することで、一つの動力によって複数の調整部および切替案内を駆動することを可能とする。同一駆動軸によって伝達された動力を、各部の駆動時期に合わせて切り替えて各部に供給することによって、一つの動力によって複数の調整部および切替案内を駆動する。
【００１４】
本発明において、カール矯正は、カール矯正ローラとカール矯正調整プレートとの間の通過間隔を調整することにより印画済みの記録用紙のカール量を矯正する。本発明のカール矯正量調整部は、駆動軸上に設けた第１のカムによってカール矯正調整プレートを駆動する。
【００１５】
また、本発明において、インクリボンへのテンション付加は、ブレーキドラム式と呼ばれる方式であり、インクリボンを巻回するインクリボン軸にベルトを掛け、このベルトによりインクリボンに張力を与えるインクリボンテンションを付加する。本発明のインクリボンテンション調整部は、駆動軸上に設けた第２のカムによってカール矯正調整プレートを駆動する。
【００１６】
また、本発明において、記録用紙の経路の切り替えは、記録用紙を案内する案内板の位置を切り替えることにより記録用紙の排紙方向を切り替える。本発明の切替案内部は、駆動軸上に設けた第３のカム、およびこの第３のカムと案内板との間を連結するクラッチによって案内板を駆動する。
【００１７】
本発明のインクリボンテンション調整部と切替案内部は、インクリボンテンション調整部を駆動する駆動軸上に設けた第２のカムと、切替案内部を駆動する駆動軸上に設けた第３のカムとを共通のカムとにより構成することができる。
【００１８】
本発明の切替案内部の案内板は、カール矯正量調整部のカール矯正調整プレート上に回転軸を有する構成とすることができる。
【発明の効果】
【００１９】
本発明のプリンタによれば、切替機構、インクリボンテンション付加機構、カール矯正機構の各機構を、一つの動力で駆動することができる。
【発明を実施するための最良の形態】
【００２０】
以下、本発明のプリンタの態様について、図１〜図１８を用いて説明する。
【００２１】
図１は本発明のプリンタの概略構成を説明するための図である。なお、図１では、プリンタ１が備え各構成要素の内で、本発明の説明に要する部分のみを示し、その他の構成要素については省略している。
【００２２】
プリンタ１は、ロール状の記録用紙９をロール紙ホルダ２に保持しておき、このロール紙ホルダ２から巻き戻した記録用紙９の記録面上の印刷を行う。ロール状の記録用紙９をロール紙ホルダ２に保持させるには、例えば、ロール状の記録用紙９が有する中心軸をロール紙ホルダ２によって回転自在に支持させることで行うことができ、これによって、記録用紙９をロール紙ホルダ２に回転可能に収納することができる。
【００２３】
印刷は、例えば、熱転写プリンタのようにインクリボンカセット４に保持されたインクリボン４ａを記録用紙９の記録面に当接させながら、ヘッド３によって所定位置にインクを記録することによって行う。この印刷において、カラー印刷などの多色印刷を行う場合には、インクリボン４ａに印刷を行う色に対応したイエロー、マゼンタ、シアン等の複数のインク部分を、インクリボン４ａの巻き取る方向に沿って順に用意しておき、インクリボン４ａを巻き取りながらインク部分をヘッド３を通過させる動作を、各色毎に繰り返す。この際、記録用紙９の同一印刷領域に各色の印刷を重ねて行わせるために、記録用紙９を往復動させる。この記録用紙９の往復動は、ロール紙ホルダ２の回転方向を変えてロール紙を巻きほどきと巻き戻しを繰り返すことで行うことができる。
【００２４】
これによって、記録用紙９をヘッド３に対して往復動させ、記録用紙９の同一の印刷領域に対して複数回の印刷を繰り返して行う。
【００２５】
なお、インクリボンは、イエロー、マゼンタ、シアン等の色部分に加えてオーバーコート層を備え、全色の印刷が終了した印刷面上をこのオーバーコート層で覆うことによって印刷面を保護することができる。
【００２６】
印刷が終了した記録用紙９は、ヘッド３部分を通過した後、排紙経路１５を通過した後、プリンタ１の筐体７に設けた排出口６からプリンタ外部に排出される。
【００２７】
記録用紙９は、各色の印刷において、一たんヘッド３の位置を通過して印刷を行う長さに応じて紙送りされた後、反転して巻き取られる。ヘッド３による印刷は、この記録用紙９を巻き戻す過程で行われる。したがって、ヘッド３を通過した記録用紙９を、プリンタ１の内部に一時的に退避させる必要がある。
【００２８】
本発明のプリンタ１は、記録用紙を一時退避させるための収納空間２０を備える。図１では、収納空間２０として記録用紙収納部１４を備え。この記録用紙収納部１４は、例えば、ロール紙ホルダ２の外周部分のスペースを利用し、全外周の内の少なくとも一部において、プリンタ内部との間で形成される隙間によって収納空間を形成することができる。通常、ロール紙ホルダの外周部分は、ロール紙を収納するとともに、ロール紙を巻きほどいて送り出すための空間部分を備えている。ロール紙ホルダの外周の径は、このロール紙の径が最大径の場合にも、ロール紙の外周部分がプリンタの内部の壁面等と接触しないように、通常、マージンを持たせた径に設定されているため、ロール紙ホルダの外周部分には余裕空間が設けられている。また、このロール紙ホルダに巻かれていたロール紙を巻きだした後には、少なくともそのロール紙が巻かれていた空間部分が遊休空間となる。
【００２９】
したがって、ロール紙の外周部分には、少なくともロール紙から巻きほどかれて送り出された記録用紙を収納するに十分な空間を有している。
【００３０】
本発明のプリンタ１は、このロール紙ホルダ２の外周部分の空間部分を、記録用紙を退避させる収納空間２０として利用することで、プリンタ内に記録用紙を退避させる場所を新たに設けることなく記録用紙を退避させるための空間を確保することができる。また、記録用紙を退避させる収納空間は、ロール紙ホルダ２の外周部分の空間部分に限らず、プリンタの装置内に備える空間を利用することができる。
【００３１】
ヘッド３の下流であって、記録用紙収納部１４及び排紙経路１５の上流部分には、記録用紙の経路を切り替える切替機能、記録用紙のカールを矯正するカール矯正量を調整するカール矯正量を調整機能、およびインクリボンのテンション量を調整するインクリボンテンション調整機能の各調整機能を駆動する調整駆動部１０を備える。
【００３２】
この調整駆動部１０は、切替機能を実現する切替案内部１１、カール矯正量の調整機能を実現するカール矯正調整部１２、インクリボンテンション量の調整機能を実現するテンション量調整部１３の各部を駆動する。図２は、調整駆動部１０および、この調整駆動部１０によって駆動される、切替案内部１１、カール矯正調整部１２、テンション量調整部１３の概略を説明するための図である。なお図２はプリンタの筐体を外した状態において一部分を示している。
【００３３】
調整駆動部１０は、駆動モータ１０ａ、この駆動モータ１０ａによって回転駆動されるウオームホイール１０ｂおよびカム１０ｃをプリンタ１の一方の側面側に設け、この回転駆動を駆動軸１０ｄによってプリンタ１の他方の側面側に伝達する。プリンタ１の他方の側面側には、切替案内部およびテンション調整部の一部を構成するフラップアップカム１０ｅやフラップアップクラッチ１０ｆ、カール矯正調整部１２を構成するカール矯正量調整カム１０ｇ等が設けられ、駆動軸１０ｄによって駆動される。
【００３４】
調整駆動部１０は、一つの駆動モータ１０ａが発生する駆動力によって、切替案内部１１、カール矯正調整部１２、およびテンション量調整部１３を駆動する。これらの詳細については後述する。
【００３５】
切替案内部１１は、ヘッド３を通過した記録用紙９の先端を、記録用紙収納部１４に向けて送るか、あるいは排紙経路１５に向けて送るかを切替え、記録用紙９を所定方向に切り替えて導く部分であり、例えば、後述するフラッパ板によって構成することができる。
【００３６】
プリンタ１は、記録用紙切断部５を、排紙経路１５上の排出口６の直前の位置に備える。記録用紙切断部５は、排紙経路１５を通過し、排出口６から外部に送り出された記録用紙９において排出口６の手前位置の部分を切断する。記録用紙切断部５は、記録用紙９が排出口６から外部に突出した状態において、記録用紙９の記録面の後方の所定位置を切断することによって、カットした記録用紙９を排出口６から取り出すことができ、また、記録用紙９が排出口６から突出する前の状態において、記録用紙９を複数箇所で切断することによって、記録用紙９を短く裁断することができる。
【００３７】
この記録用紙切断部５の下方位置には、切断片収納部１６が設けられ、記録用紙切断部５で裁断された切断片を収納することができる。切断片を切断片収納部１６に収納することによって、切断片がプリンタ１の外部に漏洩することを防ぐことができる。
【００３８】
なお、図１の構成によれば、切断片収納部１６はロール紙ホルダ２と隣接する位置に設けられているため、上述したロール紙ホルダ２の外周部が形成する記録用紙収納部１４の他方の境界を定めることになる。図１では、記録用紙収納部１４の境界の一部を切断片収納部１６の壁面で構成する例を示しているが、ロール紙ホルダ２の外周部とともに記録用紙収納部１４の境界を形成する面は、この切断片収納部１６の壁面に限られるものではなく、プリンタ１内においてロール紙ホルダ２の外周部と対向する位置に配置される構成部材の壁部を用いることができる。
【００３９】
カール矯正機構およびカール矯正調整部１２は、カール矯正ローラ１２ａとカール矯正調整プレート１２ｂとにより構成される。カール矯正ローラ１２ａは、カール矯正調整プレート１２ｂに形成された凹状に湾曲して形成されて部分と対向した配置される。カール矯正ローラ１２ａとカール矯正調整プレート１２ｂの間に形成される隙間は、記録用紙９を通す通路を形成し、この隙間に記録用紙９を通すことによって、記録用紙９の曲がりと反対方向に湾曲させてカールを矯正する。
【００４０】
カール矯正調整部１２は、カール矯正ローラ１２ａとカール矯正調整プレート１２ｂとの間の隙間量を調整することで、カールの矯正量を調整する。例えば、隙間量を狭めることによって矯正量を大きく調整し、隙間量を広めることによって矯正量を小さく調整する。
【００４１】
本発明では、カール矯正ローラ１２ａを固定し、この固定したカール矯正ローラ１２ａに対してカール矯正調整プレート１２ｂを回転軸の周りで回転させることによって、カール矯正量の調整を行う。このカール矯正量の調整は、調整駆動部１０のカール矯正量調整カム１０ｇによってカール矯正調整プレート１２ｂを回転軸の周りで回転させることで行う。
【００４２】
インクリボンは供給軸と巻き取り軸との間に張られ、供給軸から巻きだしたインクリボンを巻き取り軸に巻き取る間にヘッドと接触させることで記録用紙に印刷を行う。ヘッドとの接触においてインクリボンのフィルムにたるみが生じないように、インクリボンには所定の張力を付与する必要がある。このインクリボンに付与する張力は、インクリボン軸に巻かれるインクリボンの径によって変化する。そのため、テンション部１７はインクリボン径に応じてインクリボンに付与する張力を調整することによって、インクリボンに常に所定の張力を付与する。
【００４３】
インクリボンにテンションを付与するテンション部１７は、例えば、インクリボン軸と同軸に設けたにドラム１７ａの周囲にベルト１７ｂを巻き付け、このベルト１７ｂに張力を付加する。インクリボンのテンションは、このベルト１７ｂを引く調整バネ１７ｃの張力を変えることで調整する。
【００４４】
テンション量調整部１３は、調整バネ１７ｃの一端を調整駆動部１０の駆動軸１０ｄで駆動されるカムに取り付け、このカムの回転角度を調整することで調整バネ１７ｃの張力調整を行う。なお、ここで示す構成では、切替案内部１１のフラップ板１１ａを駆動するフラップアップカム１０ｅとテンション量を調整するカムとを同じカムを用いている。
【００４５】
プリンタ１は、上述した各構成部分を駆動する駆動部（ロール紙駆動部３４、ヘッド駆動部３５）、制御を行う制御部（制御部３０，切替制御部３１，カール矯正量調整制御部３２，テンション調整制御部３３，切断制御部３７）を備える。また、上記した各部の他に、制御条件を取得するための検出信号を検出する検出部（リボン種検出部３６）を備える。
【００４６】
ロール紙駆動部３４は、ロール紙ホルダ２内に収納されたロール紙を駆動する。ロール紙駆動部３４は、駆動方向を反転させることができ、ロール紙を巻きほどく方向に回転駆動することによって記録用紙９の送り出しを行い、駆動方向を反転させてロール紙を巻き戻す方向に回転駆動することによって、送り出した記録用紙９を元に戻す。ここでは、送り出した記録用紙９を元に戻す際に、記録用紙９上に印刷を行う。
【００４７】
また、ヘッド駆動部３５は、画像データに基づいてヘッドを駆動し、記録用紙９上に所定の画像や印字を印刷する。ヘッドは、昇華型のプリンタ、熱転写型プリンタ等の各種の印刷方式に応じた機構を用いることができる。また、インクリボン４を駆動するインクリボン駆動部（図１では示していない）を備え、ヘッドの駆動と同期してインクリボン４をヘッドに対して移動させ、記録用紙９上に印刷を行う。
【００４８】
インクリボンを用いて印刷を行う場合には、記録用紙９上に印刷する印刷長さはインクリボンの各色の長さに依存する。例えば、Ｌ版、２Ｌ版の写真の相当する印刷を行う場合には、インクリボンはＬ版、２Ｌ版の寸法に応じた大きさを有し、例えば横方向の長さ分を移動させることで印刷を行う。
【００４９】
したがって、ロール紙駆動部３４やインクリボン駆動部（図示していない）の駆動量は、プリンタ１に設置したインクリボン４ａの種類に応じて定める必要がある。そこで、このインクリボン４ａの種類データを記録したＩＤチップ等の記憶素子（図示していない）をインクリボンカセット４に取り付けておき、この記憶素子をリボン種検出部３６によって検出する。制御部３０は、検出したデータからインクリボンの種類を取得し、取得したインクリボンの種類に基づいてロール紙駆動部３４やインクリボン駆動部（図示していない）の駆動量を制御する。
【００５０】
また、切替制御部３１は、調整駆動部１０を制御して、切替案内部１１のフラップアップカム１０ｆの回転角を制御し、記録用紙９の先端を記録用紙収納部１４側あるいは排紙経路１５側の何れの方向に向けるかの切り替えを行う。この切替制御は、例えば、印刷中には、記録用紙９の先端を記録用紙収納部１４側に切り替えて、記録用紙９を一時的に退避させ、一方、印刷終了時には、記録用紙９の先端を排紙経路１５側に切り替えて、記録用紙９を排出口６から外部に排出する。
【００５１】
カール矯正量調整制御部３２は、調整駆動部１０を制御して、カール矯正調整部１２のカール矯正量調整カム１０ｇの回転角を制御してカール矯正調整プレート１２ｂの回転位置を調整し、カール矯正ローラ１２ａとの間の隙間量を調整することで、カール矯正量を調整する。
【００５２】
テンション調整制御部３３は、調整駆動部１０を制御して、フラップアップカム１０ｆの回転角を制御し、テンション部１７の調整バネ１７ｃを引く力を調整することで、インクリボンのテンションを調整する。
【００５３】
記録用紙の切断制御部３７は記録用紙切断部５を制御し、記録用紙９が排紙経路１５を経由し排出口６から外部に排出したときに、記録用紙９の記録部分の後端を切断して１枚ずつに切り分ける態様とする他、記録用紙９を廃棄するなどのために短く裁断する態様とすることができる。
【００５４】
なお、制御部３０は、上記各制御部および各駆動部を制御する他、プリンタ１を統括的な制御を行う。
【００５５】
次に、図３を用いて、調整駆動部１０の構成について説明する。図３は、切替案内部１１とカール矯正調整部１２とテンション調整部１３の各部と、調整駆動部１０と関係を示す断面図である。
【００５６】
調整駆動部１０は、駆動軸１０ｄを介して伝達される駆動モータ１０ａの駆動力で駆動されるカム機構（１０ｅ〜１０ｇ）を備える。このカム機構は、フラップアップカム１０ｅ、フラップアップクラッチ１０ｆ、カール矯正量調整カム１１ｇ等を備える。
【００５７】
切替案内部１１は、記録用紙を案内するフラッパ板１１ａと、このフラッパ板１１ａを回転支持する軸１１ｂと、フラッパ板１１ａをアップ状態（図中の１１Ａ）とダウン状態（図中の１１Ｂ）で保持するクラッチ部材１１ｃと、先端縁部１１ｄを備え、アップ状態とすることで記録用紙９を退避方向に案内し、ダウン状態とすることで記録用紙９を排紙方向に案内する。なお、フラッパ板１１ａを回転支持する軸１１ｂは、カール調整プレート１２ｃ上に設けられる。
【００５８】
フラッパ板１１ａのアップ状態およびダウン状態の保持は、フラッパ板１１ａに設けたクラッチ部材１１ｃと、調整駆動部１０のフラップアップカム１０ｅおよびこのフラップアップカム１０ｅに取り付けたフラップアップクラッチ１０ｆとの係合によって行う。
【００５９】
カール矯正調整部１２は、カール矯正ローラ１２ａとカール調整プレート１２ｂとを備える。カール矯正ローラ１２ａは固定し、カール調整プレート１２ｂを回転可能とし、カール調整プレート１２ｂを回転させることでカール矯正ローラ１２ａとの隙間量を調整してカール矯正量を調整する。カール調整プレート１２ｂの回転は、カール調整プレート１２ｂの一部を調整駆動部１０のカール矯正量調整カム１０ｇに当接させ、カール矯正量調整カム１０ｇを駆動軸１０ｄによって回転させることで行う。
【００６０】
また、カール矯正量調整カム１１ｇには、テンション部１７の調整バネ１７ｃの一端が取り付けられ、カール矯正量調整カム１１ｇを駆動軸１０ｄによって回転させることでテンション部１７の張力を調整する。
【００６１】
なお、フラッパ板１１ａの軸１１ｂはカール調整プレート１２ｃ上に設ける構成とする。この構成によって、切替動作とカール矯正量調整動作の２つの動作を簡易な構成で可能としている。
【００６２】
以下、切替案内部１１、カール矯正調整部１２、およびテンション調整部１３の調整駆動部１０による駆動制御について説明する。
【００６３】
はじめに、図４，図５を用いて、調整駆動部１０による切替案内部１１の駆動制御について説明する。図４はフラッパ板１１ａの動作状態を示し、図５は調整駆動部１０のフラップアップカム１０ｅおよびフラップアップクラッチ１０ｆの動作状態を示している。
【００６４】
図４（ａ）はフラッパ板１１ａがアップ状態にある場合を示し、図４（ｂ）はフラッパ板１１ａがダウン状態にある場合を示している。
【００６５】
図４（ａ）のアップ状態では、フラッパ板１１ａの先端縁部１１ｄは、記録用紙９を案内するガイド部４０のガイドプレート４１側に近づく方向に移動し、これによって、記録用紙９を下方に案内する。このアップ状態は、調整駆動部１０のフラップアップカム１０ｅを矢印方向Ａに回転させ、このフラップアップカム１０ｅに設けたフラップアップクラッチ１０ｆとフラッパ板１１ａに設けたクラッチ部材１１ｃとの係合によって行う。図５（ａ）はアップ状態におけるフラップアップクラッチ１０ｆとクラッチ部材１１ｃとの係合状態を示している。
【００６６】
一方、図４（ｂ）のダウン状態では、フラッパ板１１ａの先端縁部１１ｄは、記録用紙９を案内するガイド部４０のガイドプレート４１側から離れる方向に移動し、これによって、記録用紙９を上方に案内する。このダウン状態は、調整駆動部１０のフラップアップカム１０ｅを矢印方向Ｂに回転させ、このフラップアップカム１０ｅに設けたフラップアップクラッチ１０ｆとフラッパ板１１ａに設けたクラッチ部材１１ｃとの係合によって行う。図５（ｂ）はダウン状態におけるフラップアップクラッチ１０ｆとクラッチ部材１１ｃとの係合状態を示している。
【００６７】
フラッパ板１１ａの移動は、フラップアップクラッチ１０ｆとクラッチ部材１１ｃとの係合状態の切り替えによって行うため、フラップアップカム１０ｅに要する回転角度変化は小さくて済む。
【００６８】
次に、図６，図８を用いて、調整駆動部１０によるカール矯正調整部１２の駆動制御について説明する。図６はカール矯正調整部１２のカール調整プレート１２ｂの動作状態を示し、図８は調整駆動部１０のカール矯正量調整カム１０ｇとカール調整プレート１２ｂとの接触による動作状態を示している。
【００６９】
図６（ａ）はカール矯正量が大きい場合であって、カール調整プレート１２ｂをカール矯正ローラ１２ａ側に近づけた状態を示し、図６（ｂ）カール矯正量が小さい場合であって、カール調整プレート１２ｂをカール矯正ローラ１２ａ側から離した状態を示している。
【００７０】
図６（ａ）に示す状態では、カール調整プレート１２ｂは、カール矯正ローラ１２ａ側に近づく方向に移動し（図６、８中のｃ）、これによって、カール調整プレート１２ｂとカール矯正ローラ１２ａとの間の隙間を狭め、大きなカール調整量を設定する。このカール調整量を大きく設定する状態は、調整駆動部１０のカール矯正量調整カム１０ｇを矢印方向Ｃの方向に回転させ、カール矯正量調整カム１０ｇがカール調整プレート１２ｂと接触する位置を高めることによって行う。図８（ａ）は、カール調整量が大きな場合におけるカール矯正量調整カム１０ｇとカール調整プレート１２ｂとの接触状態を示している。
【００７１】
一方、図６（ｂ）に示す状態では、カール調整プレート１２ｂは、カール矯正ローラ１２ａ側から離れる方向に移動し（図６、８中のｄ）、これによって、カール調整プレート１２ｂとカール矯正ローラ１２ａとの間に隙間を広め、小さなカール調整量を設定する。このカール調整量を小さく設定する状態は、調整駆動部１０のカール矯正量調整カム１０ｇを矢印方向Ｄの方向に回転させ、カール矯正量調整カム１０ｇがカール調整プレート１２ｂと接触する位置を低めることによって行う。図８（ｂ）は、カール調整量が小さな場合におけるカール矯正量調整カム１０ｇとカール調整プレート１２ｂとの接触状態を示している。
【００７２】
次に、図７，図８を用いて、調整駆動部１０によるテンション調整部１３の駆動制御について説明する。図７はテンション調整部１３のカム動作状態を示し、図８は調整駆動部１０のフラップアップカム１０ｇと調整バネ１７ｃとの位置関係による動作状態を示している。
【００７３】
ここでは、調整バネ１７ｃの一端をフラップアップカム１０ｇに取り付け、このフラップアップカム１０ｇの回転位置によって、調整バネ１７ｃに付与する張力を調整する。
【００７４】
図７（ａ）は大きなテンション量を設定する場合であって、調整バネ１７ｃに大きな張力を付加した状態を示し、図７（ｂ）は小さなテンション量を設定する場合であって、調整バネ１７ｃに小さな張力を付加した状態を示している。
【００７５】
図８（ａ）に示す状態では、フラップアップカム１０ｇを矢印方向Ｃの方向に回転さることによって、テンション部１７との距離を大きくし、これによって調整バネ１７ｃに大きな張力を付加する。調整バネ１７ｃに大きな張力を付加することで、テンション部１７のインクリボンに大きなテンションを加えることができる。
【００７６】
一方、図８（ｂ）に示す状態では、フラップアップカム１０ｇを矢印方向Ｄの方向に回転さることによって、テンション部１７との距離を小さくし、これによって調整バネ１７ｃに小さな張力を付加する。調整バネ１７ｃに小さな張力を付加することで、テンション部１７のインクリボンに小さなテンションを加えることができる。
【００７７】
なお、上記説明では、図６（ａ），図８（ａ）の状態を大きなテンションを付加する例として説明し、図６（ｂ），図８（ｂ）の状態を小さなテンションを付加する例として説明しているが、このテンションの大小は、フラップアップカム１０ｇとテンション部１７との位置関係に依存するため、テンションの大小とフラップアップカム１０ｇの角度との関係は、上記した関係に限られるものではなく、フラップアップカム１０ｇの回転位置によって、フラップアップカム１０ｇ上で調整バネ１７ｃを取り付ける位置とテンション部１７との距離が長い場合には大きなテンションが付加され、距離を短いる場合には小さなテンションが付加される。
【００７８】
なお、切替案内機能によってフラッパ板１１ａをアップ状態とダウン状態に切り替えて動作させる時期と、テンション調整機能によってテンション部１７に対するテンション調整を行う時期とが異なるため、共通のフラップアップカム１０ｇを用いて異なる２つの機能を実現することができる。これにより構成要素の個数を低減することができる。
【００７９】
本発明において、上記した、切替案内部１１、カール矯正調整部１２、およびテンション調整部１３は、プリンタに印刷動作においてそれぞれ異なる時期で行われる。
【００８０】
表１はこれらの切替案内部、カール矯正調整部、およびテンション調整部の動作時期を説明するための表である。
【００８１】
【表１】
2008137224.tif 000003
【００８２】
プリンタの動作期間は、印画動作期間、印画した記録用紙を排出する動作期間、およびこれらの動作間を繋ぐ遷移期間に大別される。
【００８３】
これら各期間において、印画動作期間では、記録用紙はプリンタ内にあり、記録用紙の排紙方向をフラップアップした状態とし、インクリボンのテンション調整を行う。この期間では、カール矯正量の調整は行わない。一方、排出動作期間では、記録用紙の排紙方向をフラップダウンした状態とし、カール矯正量の調整を行って、記録用紙をプリンタ外へ排出させる。
【００８４】
また、印画動作期間から排出動作期間に移行する遷移期間では、フラップアップした状態からフラップダウンした状態に切り替え、排出動作期間から印画動作期間に移行する遷移期間では、フラップダウンした状態からフラップアップした状態に切り替える。
【００８５】
上記したように、カール矯正量の調整およびインクリボンのテンション調整は印画動作期間と排出動作期間の両期間で排他的に行われ、記録用紙の排紙方向は印画動作期間と排出動作期間の両期間で反対側に設定される。
【００８６】
本発明は、切替案内部、カール矯正調整部、およびテンション調整部の動作時期の特性から各部の動作制御はそれぞれ独立して行うことが可能であり、複数の動作を各期間ごとに制御することで一つの駆動モータによって駆動することができる。
【００８７】
図９は、本発明のプリンタの切替案内部、カール矯正調整部、およびテンション調整部の動作を説明するフローチャートである。
【００８８】
印刷開始後（Ｓ１）、切替案内部によってフラップアップして記録用紙の排紙方向をプリンタ内の退避場所とするとともに（Ｓ２）、テンション調整部によってインクリボンのテンションを調整して（Ｓ３）、印刷を実行する（Ｓ４）。
【００８９】
印刷が終了した後（Ｓ５）、カール矯正調整部によってカール矯正量を調整し（Ｓ６）、切替案内部によってフラップダウンして記録用紙の排紙方向をプリンタ外として（Ｓ７）、記録用紙を排出口から排出する（Ｓ８）。
【００９０】
上記Ｓ１〜Ｓ８を繰り返し（Ｓ９）、印刷処理が終了した後、プリンタ動作の終了動作を行う（Ｓ１０）。
【００９１】
次に、本発明のプリンタの切替案内部１１及び記録用紙収納部１４の動作について、図１０〜図１８を用いて説明する。なお、図１０，１１を用いてフラッパ板による切替案内部の一構成例と動作を示し、図１２〜図１４を用いて記録用紙を記録用紙収納部に一時退避させるときの動作を示し、図１５，図１６を用いて記録用紙をプリンタ外に排出させるときの動作を示し、図１７，図１８を用いて本発明のプリンタの印刷動作例を示す。
【００９２】
はじめに、フラッパ板による切替案内部の一構成例を図１０の断面図を用いて説明する。図１０に示す切替案内部１１は、フラッパ板１１ａを用いた構成例であり、このフラッパ板１１ａをカール調整プレート１２ｂ上で軸１１ｂを軸支させ、前記した調整駆動部１０によって２つの位置（アップ状態およびダウン状態）で保持可能とする。
【００９３】
このフラッパ板１１ａは、ヘッド３の下流側において、ロール紙ホルダ２から送り出された記録用紙９を案内するガイド機構４０とともに設けられる。このガイド機構４０は、記録用紙９を通過させて案内するように、間隔を開けて対向配置した２枚のガイドプレート４１，４３を備えるとともに、記録用紙９を案内するためのガイドローラ４２が設けられている。なお、図２では、上方のガイドプレート４１にのみにガイドローラ４２を設ける構成を示しているが、下方のガイドプレート４３についてもガイドローラを設けてもよい。
【００９４】
なお、ガイドプレート４１、４３が形成する案内用の隙間はガイド溝４４を形成し、これらガイドプレートの対向する面の断面形状を、記録用紙の湾曲した形状に合わせて略円弧状の形成することによって、ガイド溝４４内を通過する際の記録用紙の案内を円滑とすることができる。
【００９５】
また、ガイド機構４０の下流側には、記録用紙９の湾曲を逆方向に曲げることで湾曲形状を矯正するために、カール矯正調整部１２を備える。このカール矯正調整部１２は、例えば、ガイドプレート４１の先端方向に取り付けられ、その一部がガイドプレート４１の下面からガイド溝４４内に突出する矯正ローラ１２ａと、ガイド溝４４の延長部分を形成するとともに、湾曲した記録用紙９のカール状態を平らに戻すためのカール矯正調整プレート１２ｂを、矯正ローラ１２ａと対向する位置に設ける。図１０において、矯正ローラ１２ａとカール矯正調整プレート１２ｂの湾曲部とは対向し、下方に湾曲したガイド溝４４を形成している。
【００９６】
ロール紙ホルダ２から送り出された記録用紙９は、ロール状に巻かれていたことにより、ロール紙の中心に向かって湾曲している。この湾曲によって、記録用紙９の先端部分は、ガイドプレート４１とガイドプレート４３の間に形成されるガイド溝４４に沿って移動する。ガイド溝４４に沿って移動した記録用紙９は、ガイド機構４０の後方部分において、矯正ローラ１２ａとカール矯正調整プレート１２ｂとによってその湾曲状態が逆方向に曲げられ、平らな状態に戻された後、プリンタの外部に排出される。
【００９７】
フラッパ板１１ａは、軸１１ｂによってカール矯正調整プレート１２ｂに回転自在に取り付けられる。フラッパ板１１ａは、その回転する先端縁部１１ｄがヘッド側となるように取り付けられる。ここで、記録用紙９の先端を記録用紙収納部１４側に向かわせるフラッパ板１１ａの状態を第１の状態（アップ状態）とし、一方、記録用紙９の先端を排紙経路１５側に向かわせるフラッパ板１１ａの状態を第２の状態（ダウン状態）とする。
【００９８】
フラッパ板１１ａを第１の状態とした場合には、フラッパ板１１ａの先端の縁部１１ｄはガイドプレート４１の下面に向かって上昇し、ガイド溝４４が形成する記録用紙の通路を遮蔽する。これによって、ヘッドを通過した後、ガイド溝４４を通過して案内された記録用紙９の先端部分は、フラッパ板１１ａの下方面に当接して、記録用紙収納部１４側に向けて進行方向が変更される。
【００９９】
一方、フラッパ板１１ａを第２の状態とした場合には、フラッパ板１１ａの先端の縁部１１ｄは下降し、フラッパ板１１ａの上面とガイドプレート４３の上面とがほぼ同一面に揃う位置となる。このフラッパ板１１ａの状態とすることで、ガイド溝４４は延長してフラッパ板１１ａの上面まで延びて形成される。これによって、ヘッドを通過した後、ガイド溝４４を通過して案内された記録用紙９の先端部分は、フラッパ板１１ａの上面を通過し、カール矯正調整部１２を通って、排紙経路１５側に向けて進行方向が変更される。このフラッパ板１１ａの第１の状態と第２の状態の切り替えは、前記した調整駆動部１０のカムおよびクラッチ機構によって駆動される。
【０１００】
図１１，図１２に示す斜視図は、フラッパ板による切替案内部を説明するための斜視図であり、ガイド部４０、カール矯正調整部１２およびテンション調整部１３の一部を示している。図１１は記録用紙９がフラッパ板１１ａの手前の位置にある状態を示し、図１２はフラッパ板１１ａを第１の状態として記録用紙を記録用紙収納部側に向けた状態を示している。なお、図１１，１２では、ガイドプレート４１は省略して示している。また、ロール紙ホルダ２の径およびガイド部４０およびカール矯正調整部１２との位置関係は、説明上から模式的に示すものであって、必ずしも実際の装置を反映するものではない。
【０１０１】
図１２において、フラッパ板１１ａの先端縁部１１ｄが上昇した状態にあり、記録用紙９はこのフラッパ板１１ａの下面を通った後、ロール紙ホルダ２の外周に沿って移動する。
【０１０２】
図１３は、記録用紙収納部の状態を説明するための斜視図である。図１３において、記録用紙収納部１４の収納空間２０は、ロール紙ホルダ２の外周に沿って形成される空間部分、あるいはプリンタ１の筐体の内壁あるいはプリンタ１内に設置される構成要素部分で形成される空間部分とすることができる。
【０１０３】
ロール紙ホルダ２から送り出された記録用紙９は、ロール状の巻かれた状態にあるため、ロール紙から巻きほどかれた場合には、ロール状に湾曲した形状となる。そのため、フラッパ板１１ａの方向切り替えによって記録用紙収納部１４側に送られた際には、この記録用紙９は、前記した収納空間内に容易に収納される。
【０１０４】
図１４の断面図は、記録用紙を記録用紙収納部側に一時退避させた状態を示している。この状態では、フラッパ板１１ａの先端縁部１１ｄを上方位置とすることによって、ガイド溝４４の通路を途中で遮蔽し、これによって記録用紙９の先端の進行方向を記録用紙収納部１４に向ける切り替えを行う。
【０１０５】
この構成によれば、ロール紙の残量に係わらず、記録用紙収納部１４の収納空間２０内に収納して退避させることができる。
【０１０６】
また、図１５は、フラッパ板１１ａの先端縁部１１ｄが下降した状態にあり、記録用紙９はこのフラッパ板１１ａの上面を通った後、カール矯正調整部１２を通過し、排紙経路１５を通って、排出口から外部に排出される。
【０１０７】
図１６は、記録用紙の排出状態を説明するための斜視図である。図１６において、記録用紙９は、フラッパ板１１ａの切り替えによって、カール矯正調整部１２を通過し、排紙経路１５を通って、排出口６から外部に排出される。このとき、記録用紙９は、記録用紙切断部５によって所定長さに切断されて排出される他、短く裁断し、裁断片をプリンタ１内に収納し、外部に排出させないようにすることもできる。
【０１０８】
次に、本発明のプリンタの動作例について、図１７のフローチャートおよび図１８の動作図を用いて説明する。なお、ここでは、主に切替案内部の動作について説明する。
【０１０９】
はじめに、フラッパ板を上げて（Ｓ１１）、記録用紙を所定長さだけ送り出す（図１８（ａ））。この送り出し長さは、記録用紙上に印刷する印刷領域の大きさに基づいて設定することができる。ここで、記録用紙上に印刷する印刷領域の大きさは、上述したようにインクリボンに設定されるインク部分の長さに依存するため、プリンタにセットするインクリボンの種類のデータを取得することで定めることができる。例えば、Ｌ版の印刷を行うインクリボンが設けられている場合には、このインクリボンから印刷の大きさがＬ版である情報を取得し、このＬ版に相当する長さ分の紙送りを行う。プリンタにセットされるインクリボンが２Ｌの印刷を行うものであるときは、この２Ｌ版に相当する長さ分の紙送りを行う。送り出された記録用紙は、切替案内部によって送り先の方向が記録用紙収納部側に切り替えられ、記録用紙収納部内に一時的に退避される（Ｓ１２）。
【０１１０】
送り出した記録用紙を巻き戻しながら、ヘッドによって印刷を行う（図１８（ｂ））。このとき、インクリボンカセットに取り付けられたインクリボンについても移動させる。この記録用紙の巻き戻しとインクリボンの巻き取り、およびヘッドでの画像印刷処理は、同期をとって行う（Ｓ１３）。
【０１１１】
上記したＳ１２，Ｓ１３の工程を、例えば、イエロー（Ｙ）、マゼンタ（Ｍ）、シアン（Ｃ）の各色について、記録用紙の同一の記録領域の印刷を繰り返すことでカラー印刷を行う（図１８（ｃ）〜図１８（ｆ））（Ｓ１４）。
【０１１２】
印刷が終了した印刷面にオーバーコート層を被覆することで保護層を形成することができる。このオーバーコート層の形成は、前記したＳ１２と同様に記録用紙を所定長送り出した後（図１８（ｇ））（Ｓ１５）、前記したＳ１３と同様に記録用紙を巻き戻しながらオーバーコート層を設けることで行うことができる（図１８（ｈ））。なお、このオーバーコート層についても、イエロー（Ｙ）、マゼンタ（Ｍ）、シアン（Ｃ）の各色部分とともにインクリボンに形成しておくことで、色形成と同様の工程とすることができる（Ｓ１６）。
【０１１３】
記録用紙上に各色の印刷とオーバーコート層の形成を行った後、フラッパ板を下げる。Ｓ１６の工程が終了した時点では、記録用紙はロール紙ホルダに巻き戻された状態にある。フラッパ板を下げた状態で、ロール紙ホルダから記録用紙を送り出すと、フラッパ板の切り替えによって、記録用紙の送り方向は排出経路側に切り替わっているため、印刷が終了した記録用紙を排出口から送り出される（図１８（ｉ））（Ｓ１８）。このとき、記録用紙が送り出された所定位置で記録用紙を切断する。この切断によって、印刷された所定長の記録用紙がプリンタから排出される（Ｓ１９）。
【０１１４】
上記説明では、本発明のプリンタによって多色印刷を行う際に、記録用紙を記録用紙収納部に一時的に退避させる動作について説明したが、記録用紙の長さが記録用紙収納部に収納できる長さよりも長い場合には、一時退避動作が困難となるため、上記動作による印刷を行うことができない。
【０１１５】
そこで、本発明のプリンタは、一時退避動作時において、切替案内部によって記録用紙を記録用紙収納部側に代えて、排出経路側に送ることによって対応することができる。なお、この動作では、一時退避時には記録用紙は、プリンタの排出口から外部に一時的に出た状態となる。
【０１１６】
なお、上記した構成例は一例であり、本発明はこれらの例に限定されるものではなく、各種変更を含むものである。
【図面の簡単な説明】
【０１１７】
【図１】本発明のプリンタの概略構成を説明するための図である。
【図２】本発明の切替案内部、カール矯正調整部、テンション量調整部の概略を説明するための図である。
【図３】本発明のフラッパ板による切替案内部の一構成例を説明するための断面図である。
【図４】本発明のフラッパ板の動作状態を示す図である。
【図５】本発明の調整駆動部のフラップアップカムおよびフラップアップクラッチの動作状態を示す図である。
【図６】本発明のカール矯正調整部のカール調整プレートの動作状態を示す図である。
【図７】本発明のテンション調整部のカム動作状態を示す図である。
【図８】本発明の調整駆動部のカール矯正量調整カムとカール調整プレートとの接触による動作状態を示す図である。
【図９】本発明のプリンタの切替案内部、カール矯正調整部、およびテンション調整部の動作を説明するフローチャートである。
【図１０】本発明のフラッパ板による切替案内部の一構成例を説明するための断面図である。
【図１１】本発明のフラッパ板による切替案内部を説明するための斜視図である。
【図１２】本発明のフラッパ板による切替案内部を説明するための斜視図である。
【図１３】本発明の記録用紙収納部の状態を説明するための斜視図である。
【図１４】本発明の記録用紙を記録用紙収納部側に一時退避させた状態を示す断面図である。
【図１５】本発明のフラッパ板による切替案内部を説明するための斜視図である。
【図１６】本発明の記録用紙の排出状態を説明するための斜視図である。
【図１７】本発明のプリンタの動作例を説明するためのフローチャートである。
【図１８】本発明のプリンタの動作例を説明するための動作図である。
【符号の説明】
【０１１８】
１  プリンタ
２  ロール紙ホルダ
３  ヘッド
４  インクリボンカセット
４ａ  インクリボン
５  記録用紙切断部
６  排出口
７  筐体
９  記録用紙
１０  調整駆動部
１０ａ  駆動モータ
１０ｂ  ウオームホイール
１０ｃ  カム
１０ｄ  駆動軸
１０ｅ  フラップアップカム
１０ｆ  フラップアップクラッチ
１０ｇ  カール矯正調整カム
１１  切替案内部
１１ａ  フラッパ板
１１ｂ  軸
１１ｃ  クラッチ
１１ｄ  先端縁部
１２  カール矯正調整部
１２ａ  カール矯正ローラ
１２ｂ  カール調整プレート
１３  テンション調整部
１４  記録用紙収納部
１５  排出経路
１６  切断片収納部
１７  テンション部
１７ａ  ドラム
１７ｂ  ベルト
１７ｃ  調整バネ
２０  収納空間
３０  制御部
３１  切替制御部
３２  カール矯正調整量制御部
３３  テンション調整制御部
３４  ロール紙駆動部
３５  ヘッド駆動部
３６  リボン種検出部
３７  切断制御部
４０  ガイド部
４１  ガイドプレート
４２  ガイドローラ
４３  ガイドプレート
４４  ガイド溝
【図１】
2008137224.tif 000004
【図３】
2008137224.tif 000005
【図４】
2008137224.tif 000006
【図５】
2008137224.tif 000007
【図６】
2008137224.tif 000008
【図７】
2008137224.tif 000009
【図８】
2008137224.tif 000010
【図９】
2008137224.tif 000011
【図１０】
2008137224.tif 000012
【図１１】
2008137224.tif 000013
【図１２】
2008137224.tif 000014
【図１３】
2008137224.tif 000015
【図１４】
2008137224.tif 000016
【図１５】
2008137224.tif 000017
【図１６】
2008137224.tif 000018
【図１７】
2008137224.tif 000019
【図１８】
2008137224.tif 000020
【図２】
2008137224.tif 000021